(57)【要約】【課題】通常とは別の排紙トレイに排紙された異常紙と後続紙の中から目的の異常紙を容易に見つけて取り出すことのできる画像処理システムを提供する。【解決手段】画像形成装置本体１０の下流の画像読取装置１２で用紙を読み取り、その読取画像を解析し、異常紙を検出すると、その異常紙と後続紙が通常の排紙先１８とは別の第２排紙先１６へ排紙されるように搬送経路を切り替える。また第２排紙先に排紙した異常紙とその後続紙について、その用紙が異常紙か否かを示す用紙情報と、その用紙の読取画像と、その用紙の第２排紙先での積載順とを関連付けた排紙情報を記憶する。記憶した排紙情報を異常紙および後続紙について表示することで、第２排紙先から異常紙を取り出して異常を確認するユーザ作業を支援する。【選択図】図１
2020155814.tif 000002
【特許請求の範囲】
【請求項１】
給紙部と、
用紙に画像を形成する画像形成部と、
前記給紙部から給紙された用紙を、前記画像形成部を経由して排紙先へ搬送する搬送部と、
排紙先を切り替える切替部と、
前記搬送部によって搬送される用紙を前記画像形成部と前記切替部の間で光学的に読み取って読取画像を出力する読取部と、
前記読取画像を解析して異常紙を検出する異常紙検出部と、
記憶部と、
表示部と、
前記異常紙検出部によって検出された異常紙とその後続紙とが通常の排紙先とは異なる第２排紙先へ排紙されるように前記切替部を制御する排紙先切替制御と、前記第２排紙先に排紙された異常紙とその後続紙について、その用紙が異常紙か否かを示す用紙情報と、その用紙の読取画像と、その用紙の前記第２排紙先での積載順とを関連付けて前記記憶部に記憶する記憶制御と、前記記憶部に記憶されている互いに関連付けされた用紙情報と積載順と読取画像とを関連付けて前記表示部に表示する表示制御と、を行う制御部と、
を有する
ことを特徴とする画像形成システム。
【請求項２】
前記用紙情報は、排紙トレイ番号、排紙日時、ジョブ名称、ページ番号、ヤレ原因、給紙トレイ番号のうちの少なくとも１つを含む
ことを特徴とする請求項１に記載の画像形成システム。
【請求項３】
前記表示制御では、関連付ける用紙情報と積載順と読取画像とを、複数枚の用紙について、リスト形式、もしくはサムネイル形式、もしくはページめくり方式、で表示する
ことを特徴とする請求項１または２に記載の画像形成システム。
【請求項４】
前記第２排紙先は、異常紙とその後続紙の排紙先として予め定めた排紙先である
ことを特徴とする請求項１乃至３のいずれか１つに記載の画像形成システム。
【請求項５】
前記記憶制御では、前記第２排紙先に排紙された全ての用紙について、その用紙が異常紙か否かを示す用紙情報と、その用紙の読取画像と、その用紙の前記第２排紙先での積載順とを関連付けて前記記憶部に記憶する
ことを特徴とする請求項１乃至４のいずれか１つに記載の画像形成システム。
【請求項６】
前記第２排紙先から用紙が取り除かれたことを検知する取り出し検知部を備え、
前記制御部は、前記第２排紙先から用紙が取り除かれたことを前記取り出し検知部が検知し、かつ、所定の第２条件が成立した場合に前記記憶部に記憶されている情報を削除する
ことを特徴とする請求項１乃至５のいずれか１つに記載の画像形成システム。
【請求項７】
前記制御部は、前記第２排紙先に複数のジョブに係る用紙が排出されている場合に、前記表示制御をジョブ単位に行い得る
ことを特徴とする請求項１乃至６のいずれか１つに記載の画像形成システム。
【請求項８】
前記制御部は、前記表示制御をジョブ単位に行うか否かをユーザの選択に応じて切り替える
ことを特徴とする請求項７に記載の画像形成システム。
【請求項９】
前記制御部は、前記排紙先切替制御において前記第２排紙先を複数の排紙先に切り替えた場合は、排紙先毎に前記表示制御を行う
ことを特徴とする請求項１乃至６のいずれか１つに記載の画像形成システム。
【請求項１０】
前記記憶制御において前記記憶部に記憶した情報を、外部へ送信する送信部を有する
ことを特徴とする請求項１乃至９のいずれか１つに記載の画像形成システム。
【請求項１１】
前記第２排紙先の満杯を検出する満杯検出部を備え、
前記制御部は、前記第２排紙先が満杯になったことを前記満杯検出部が検出した場合に前記表示制御を開始する
ことを特徴とする請求項１乃至１０のいずれか１つに記載の画像形成システム。
【請求項１２】
前記第２排紙先に排出される後続紙については、前記画像形成部で画像が形成されていなくても、全て、前記読取部で読み取る
ことを特徴とする請求項１乃至１１のいずれか１つに記載の画像形成システム。
【請求項１３】
搬送される用紙を画像形成部の下流で読取部によって光学的に読み取って読取画像を取得する読取ステップと、
前記読取画像を解析して異常紙を検出するステップと、
検出された異常紙とその後続紙とが通常の排紙先とは異なる第２排紙先へ排紙されるように前記読取部の下流で排紙先を切り替える排紙先切替ステップと、
前記第２排紙先に排紙された異常紙とその後続紙について、その用紙が異常紙か否かを示す用紙情報と、その用紙の読取画像と、その用紙の前記第２排紙先での積載順とを関連付けて記憶部に記憶する記憶ステップと、
前記記憶部に記憶されている互いに関連付けされた用紙情報と積載順と読取画像とを関連付けて表示部に表示する表示ステップと、
を有する
ことを特徴とする異常紙情報表示方法。
【発明の詳細な説明】
【技術分野】
【０００１】
本発明は、異常紙とその後続紙を通常とは別の排紙先に排出する画像形成システムおよび異常紙情報表示方法に関する。
【背景技術】
【０００２】
プロダクションプリント用の印刷装置等では、画像に異常のある用紙を、正常に印刷された用紙とは別の排紙先に排紙する制御が行われる。たとえば、下記特許文献１には、給紙口切り替え、満載、紙なし、紙ジャム、消耗品の寿命等の画像に影響を与える特定事象が画像出力プロセス中に発生したかどうかを検知し、該検知結果に基づいて、影響を受けた用紙を通常排紙先とは異なるエスケープ排紙先に排紙させる印刷装置が開示されている。また、この印刷装置では、エスケープ排紙された用紙に関する情報、たとえば、ジョブ名、要因、時刻、ページ数等を印刷したヘッダページをエスケープ排紙先に印刷出力することで、異常内容の確認の容易化を図っている。
【０００３】
下記特許文献２には、印刷装置が出力した印刷物を、印刷装置と別体の検査装置で読み取って欠陥を検出し、欠陥のある用紙について、その用紙に係るジョブ名、部、ページ番号、表裏、欠陥個数、読取画像、詳細情報等を一覧表示したり、欠陥情報を、実際の印刷物の欠陥箇所の上に位置合わせして投影したりする装置が開示されている。
【先行技術文献】
【特許文献】
【０００４】
【特許文献１】特開２００５−１４４７９７号公報
【特許文献２】特開２０１６−６１６０３号公報
【発明の概要】
【発明が解決しようとする課題】
【０００５】
印刷装置において異常紙を検出した場合、異常紙を通常の排紙トレイとは別の排紙トレイ（第２排紙トレイとする）に排出するだけではなく、異常紙とその後続紙を第２排紙トレイに排出することが行われる。たとえば、第１ジョブで異常紙が発生してその異常紙と第１ジョブの後続紙が第２排紙トレイに排紙された後、続けて実行された第２ジョブでも異常紙が発生すると、第２ジョブの異常紙と後続紙が、第１ジョブの異常紙および後続紙の上に積み重なって第２排紙トレイに排紙される。
【０００６】
このように、第２排紙トレイに複数のジョブの異常紙と後続紙が積み重なってしまうと、特許文献１、２のように異常紙に関する欠陥情報が一覧表示されたり印刷出力されたりしたとしても、第２排紙トレイに積載されている用紙の中から目的の異常紙を見つけて取り出すことは難しい。
【０００７】
本発明は、上記の問題を解決しようとするものであり、通常とは別の排紙トレイに排紙された異常紙と後続紙の中から目的の異常紙を容易に見つけて取り出すことのできる画像形成システムおよび異常紙情報表示方法を提供することを目的としている。
【課題を解決するための手段】
【０００８】
かかる目的を達成するための本発明の要旨とするところは、次の各項の発明に存する。
【０００９】
［１］給紙部と、
用紙に画像を形成する画像形成部と、
前記給紙部から給紙された用紙を、前記画像形成部を経由して排紙先へ搬送する搬送部と、
排紙先を切り替える切替部と、
前記搬送部によって搬送される用紙を前記画像形成部と前記切替部の間で光学的に読み取って読取画像を出力する読取部と、
前記読取画像を解析して異常紙を検出する異常紙検出部と、
記憶部と、
表示部と、
前記異常紙検出部によって検出された異常紙とその後続紙とが通常の排紙先とは異なる第２排紙先へ排紙されるように前記切替部を制御する排紙先切替制御と、前記第２排紙先に排紙された異常紙とその後続紙について、その用紙が異常紙か否かを示す用紙情報と、その用紙の読取画像と、その用紙の前記第２排紙先での積載順とを関連付けて前記記憶部に記憶する記憶制御と、前記記憶部に記憶されている関連付けされた用紙情報と積載順と読取画像とを関連付けて前記表示部に表示する表示制御と、を行う制御部と、
を有する
ことを特徴とする画像形成システム。
【００１０】
上記発明では、第２排紙先に排紙された異常紙とその後続紙について、その用紙が異常紙か否かを示す用紙情報とその用紙の読取画像とその用紙の第２排紙先での積載順とを関連付けて記憶し、この記憶した情報に基づく表示が行われる。
【００１１】
［２］前記用紙情報は、排紙トレイ番号、排紙日時、ジョブ名称、ページ番号、ヤレ原因、給紙トレイ番号のうちの少なくとも１つを含む
ことを特徴とする［１］に記載の画像形成システム。
【００１２】
［３］前記表示制御では、関連付ける用紙情報と積載順と読取画像とを、複数枚の用紙について、リスト形式、もしくはサムネイル形式、もしくはページめくり方式、で表示する
ことを特徴とする［１］または［２］に記載の画像形成システム。
【００１３】
［４］前記第２排紙先は、異常紙とその後続紙の排紙先として予め定めた排紙先である
ことを特徴とする［１］乃至［３］のいずれか１つに記載の画像形成システム。
【００１４】
［５］前記記憶制御では、前記第２排紙先に排紙された全ての用紙について、その用紙が異常紙か否かを示す用紙情報と、その用紙の読取画像と、その用紙の前記第２排紙先での積載順とを関連付けて前記記憶部に記憶する
ことを特徴とする［１］乃至［４］のいずれか１つに記載の画像形成システム。
【００１５】
［６］前記第２排紙先から用紙が取り除かれたことを検知する取り出し検知部を備え、
前記制御部は、前記第２排紙先から用紙が取り除かれたことを前記取り出し検知部が検知し、かつ、所定の第２条件が成立した場合に前記記憶部に記憶されている情報を削除する
ことを特徴とする［１］乃至［５］のいずれか１つに記載の画像形成システム。
【００１６】
［７］前記制御部は、前記第２排紙先に複数のジョブに係る用紙が排出されている場合に、前記表示制御をジョブ単位に行い得る
ことを特徴とする［１］乃至［６］のいずれか１つに記載の画像形成システム。
【００１７】
［８］前記制御部は、前記表示制御をジョブ単位に行うか否かをユーザの選択に応じて切り替える
ことを特徴とする［７］に記載の画像形成システム。
【００１８】
［９］前記制御部は、前記排紙先切替制御において前記第２排紙先を複数の排紙先に切り替えた場合は、排紙先毎に前記表示制御を行う
ことを特徴とする［１］乃至［６］のいずれか１つに記載の画像形成システム。
【００１９】
［１０］前記記憶制御において前記記憶部に記憶した情報を、外部へ送信する送信部を有する
ことを特徴とする［１］乃至［９］のいずれか１つに記載の画像形成システム。
【００２０】
［１１］前記第２排紙先の満杯を検出する満杯検出部を備え、
前記制御部は、前記第２排紙先が満杯になったことを前記満杯検出部が検出した場合に前記表示制御を開始する
ことを特徴とする［１］乃至［１０］のいずれか１つに記載の画像形成システム。
【００２１】
［１２］前記第２排紙先に排出される後続紙については、前記画像形成部で画像が形成されていなくても、全て、前記読取部で読み取る
ことを特徴とする［１］乃至［１１］のいずれか１つに記載の画像形成システム。
【００２２】
［１３］搬送される用紙を画像形成部の下流で読取部によって光学的に読み取って読取画像を取得する読取ステップと、
前記読取画像を解析して異常紙を検出するステップと、
検出された異常紙とその後続紙とが通常の排紙先とは異なる第２排紙先へ排紙されるように前記読取部の下流で排紙先を切り替える排紙先切替ステップと、
前記第２排紙先に排紙された異常紙とその後続紙について、その用紙が異常紙か否かを示す用紙情報と、その用紙の読取画像と、その用紙の前記第２排紙先での積載順とを関連付けて記憶部に記憶する記憶ステップと、
前記記憶部に記憶されている互いに関連付けされた用紙情報と積載順と読取画像とを関連付けて表示部に表示する表示ステップと、
を有する
ことを特徴とする異常紙情報表示方法。
【発明の効果】
【００２３】
本発明に係る画像処理システムおよび異常紙情報表示方法によれば、通常の排紙先とは別の排紙先に排紙された異常紙と後続紙の中から目的の異常紙を容易に見つけて取り出すことができる。
【図面の簡単な説明】
【００２４】
【図１】本発明の実施の形態に係る画像形成システムを示す図である。
【図２】画像形成システムの電気的な概略構成を示すブロック図である。
【図３】画像形成システムにおいて検出された異常紙およびその後続紙が第２排紙先へ排出される動作の一例を示す図である。
【図４】印刷時における画像形成システムの概略動作を示す流れ図である。
【図５】用紙起動判断処理（図４のステップＳ１０１）の詳細を示す流れ図である。
【図６】排紙情報テーブルの一例を示す図である。
【図７】第２排紙トレイに排紙された用紙の排紙情報を表示する処理を示す流れ図である。
【図８】第２排紙先に排紙された用紙の排紙情報をリスト形式にした排紙情報一覧の一例を示す図である。
【図９】ページめくり方式の確認画面（ページ毎画面）の一例を示す図である。
【図１０】図９の状態から表示対象を次のページに進めたページ毎画面の一例を示す図である。
【図１１】サムネイル方式の確認画面（サムネイル画面）の一例を示す図である。
【図１２】選択された用紙の読取画像を大きく表示したサムネイル画面の一例を示す図である。
【図１３】ジョブ単位のサムネイル画面の一例を示す図である。
【図１４】調整用チャートを表示するページ毎画面の一例を示す図である。
【図１５】確認排紙トレイ選択画面一例を示す図である。
【図１６】両面印刷時のサムネイル画面の一例を示す図である。
【図１７】両面印刷時のページ毎画面であって、おもて面正常・うら面異常の異常紙の排紙情報を表示した例を示す図である。
【図１８】両面印刷時のページ毎画面であって、後続紙の排紙情報を表示した場合の一例を示す図である。
【図１９】排紙情報を削除する処理を示す流れ図である。
【発明を実施するための形態】
【００２５】
以下、図面に基づき本発明の実施の形態を説明する。
【００２６】
図１は、本発明の実施の形態に係る画像形成システム５とその接続環境を示している。画像形成システム５は、外部装置から印刷データを受信し、該印刷データに基づいて用紙に画像を形成（印刷）して出力する画像形成装置本体１０と、画像形成装置本体１０の前段に接続されて画像形成装置本体１０に給紙する給紙装置１１と、画像形成装置本体１０の後段に接続され、画像形成装置本体１０から到来する用紙を光学的に読み取る画像読取装置１２と、画像読取装置１２の後段に接続されて用紙の排紙先を切り替える第１用紙仕分け装置１３および第２用紙仕分け装置１４を備えて構成される。
【００２７】
画像形成システム５では、上記の各装置を直列に接続することで、画像形成システム５内に、給紙装置１１から給紙された用紙を画像形成装置本体１０および画像読取装置１２を経由して排紙先（第１用紙仕分け装置１３、第２用紙仕分け装置１４）まで搬送する搬送経路が構成される。
【００２８】
画像形成装置本体１０は、ＬＡＮ（Local Area Network）などのネットワーク２を介してＰＣ（パーソナルコンピュータ）等の外部端末３と通信可能に接続されている。
【００２９】
画像形成装置本体１０は、無端で環状に掛け渡された中間転写ベルトと、この中間転写ベルトに沿って配置されたC,M,Y,K各色の像形成ユニットを備え、像形成ユニットによって中間転写ベルト上にC,M,Y,K各色のトナー像を重畳してフルカラーのトナー像を形成する。そして、中間転写ベルト上に形成したトナー像を、給紙装置１１から給紙され搬送されてきた用紙に転写し、さらに定着器で用紙に熱定着させた後、該用紙を後段の画像読取装置１２へ送り出す。なお、画像形成装置本体１０が用紙に画像を形成する方式は上記したタンデム式の電子写真方式に限定されず、インクジェット方式等、任意でよい。
【００３０】
画像読取装置１２は、画像形成装置本体１０から受け入れた用紙を自装置の後段の第１用紙仕分け装置１３へ搬送する機能と、その用紙の両面を読取部６１で光学的に読み取って読取画像を取得する機能を果たす。
【００３１】
第１用紙仕分け装置１３は、画像読取装置１２から搬送されてきた用紙を、後段の第２用紙仕分け装置１４へ排出するか、自装置が有する第１サブトレイ１６へ排出するかを切り替える切替部の機能を果たす。第２用紙仕分け装置１４は、第１用紙仕分け装置１３から搬送されてきた用紙を、自装置が有するメイントレイ１８へ排出するか、自装置が有する第２サブトレイ１７へ排出するかを切り替える切替部の機能を果たす。
【００３２】
図２は、画像形成システム５の電気的な概略構成を示すブロック図である。画像形成システム５は、ＣＰＵ（Central Processing Unit）、ＲＯＭ（Read Only Memory）、ＲＡＭ（Random Access Memory）などを主要部とする制御部２０を備える。詳細には、制御部２０は、操作パネル３０における表示および操作の受け付けに関する制御を行う操作パネル制御部２１、画像形成システム５全体の動作を統括制御するシステム制御部２３、給紙装置１１および画像形成装置本体１０における給紙・搬送・画像形成動作を制御するエンジン制御部２５、画像読取装置１２での読み取り動作を制御する画像読み取り制御部２７、第１用紙仕分け装置１３および第２用紙仕分け装置１４における排紙先の切り替え制御等を行うフィニッシャ制御部２９で構成される。なお、システム制御部２３は、操作パネル制御部２１、エンジン制御部２５、画像読み取り制御部２７、フィニッシャ制御部２９を統括制御する。
【００３３】
操作パネル制御部２１には、操作パネル３０の表示部３１および操作部３２が接続される。表示部３１は液晶ディスプレイ等で構成され、各種の操作画面や設定画面、後述する排紙情報等を表示する。操作部３２は、ハードスイッチおよび表示部３１の画面上に設けられたタッチスクリーンなどで構成され、各種のユーザ操作を受け付ける。
【００３４】
システム制御部２３には、画像処理部４１、通信部４２、記憶部４３、異常検出部４４などが接続されている。画像処理部４１は、外部端末３から受信した印刷データをイメージデータに展開するＲＩＰ処理のほか、イメージデータ等に対して拡大縮小、画像補正等の画像処理を施す。通信部４２はネットワーク２を通じて外部端末３やサーバ等と通信して各種のデータを送受信する。
【００３５】
記憶部４３は、正常な用紙が排紙される通常の排紙先とは異なる第２排紙先（第１サブトレイ１６や第２サブトレイ１７）に排紙された各用紙に関する情報や読取画像、その他の各種の情報を記憶する。
【００３６】
異常検出部４４は、読取部６１が用紙を光学的に読み取って得た読取画像を解析して、その用紙が異常紙であるか否かを判定する。
【００３７】
エンジン制御部２５には、給紙部５１、搬送部５２、画像形成部５３等が接続される。図１の画像形成システム５では、給紙装置１１が給紙部５１に該当する。なお、画像形成装置本体１０内に給紙トレイを有し、該給紙トレイから給紙する給紙部５１を備えても良い。搬送部５２は、画像形成システム５内の搬送経路を通じて用紙を搬送する機能を果たし、搬送ローラ、ガイド、搬送ローラを駆動するモータ等で構成される。
【００３８】
画像読み取り制御部２７は、画像読取装置１２の読取部６１による読み取り動作を制御する。
【００３９】
フィニッシャ制御部２９は、第１用紙仕分け装置１３、第２用紙仕分け装置１４における排紙先の切り替え動作や搬送動作を制御する。フィニッシャ制御部２９には、排紙先の切り替え機構である排紙先切替部７１、第１サブトレイ１６や第２サブトレイ１７から用紙が取り出されたことを検出する取り出し検出部７２、第１サブトレイ１６や第２サブトレイ１７が満杯になったことを検出する満杯検出部７３などが接続されている。
【００４０】
画像形成システム５では、画像形成装置本体１０から出力された用紙を画像読取装置１２で光学的に読み取り、その読取画像を解析することでその用紙が異常紙（ヤレ紙）であるか否かを判定する。検出する異常には、汚れ、スジ、ホタル、といったものがある。ホタルは点状に現れる濃度ムラ等の異常であり、スジは、ホタルが線状に連続して現れる画像異常などである。
【００４１】
上記判定の結果、異常紙でなければ、該用紙を通常の排紙先であるメイントレイ１８へ排紙し、異常紙ならば該異常紙とその後続紙を通常の排紙先とは異なる第２排紙先（第１サブトレイ１６もしくは第２サブトレイ１７）へ排紙する。後続紙には、少なくとも、異常紙を検出した時点で既に給紙されて機内の搬送経路上にある全ての用紙が含まれる。
【００４２】
第２排紙先は、異常紙とその後続紙の排紙先として予め定められた排紙先である。なお、第２排紙先が複数ある場合には、それらの中から実際に異常紙および後続紙を排出する排紙先を自動的もしくはユーザの指示に基づいて選択する。
【００４３】
図３は、画像形成システム５において異常紙およびその後続紙が第２排紙先へ排出される動作の一例を示している。この例は、全１０枚のジョブ１の途中の３枚目(1-3)と４枚目(1-4)の用紙で異常が検出され、さらにそれに続くジョブ２の１枚目(2-1)で異常が検出された場合を示している。
【００４４】
ジョブ１の１枚目(1-1)と２枚目(1-2)の用紙は通常の排紙先であるメイントレイ１８に排紙する。異常紙であるジョブ１の３枚目(1-3)、４枚目(1-4)は第２排紙先（たとえば第１サブトレイ１６）に排紙され、さらにその後続紙（1-5〜1-10）も第２排紙先に排紙される。また、異常紙であるジョブ２の１枚目(2-1)およびその後続紙（2-2、2-3…）も第２排紙先に排紙される。
【００４５】
このように、異常紙とその後続紙が同じ第２排紙先に排紙されると、第２排紙先に積み重なっている多数の用紙の中のどの用紙が目的の異常紙であるかを見つけて取り出すことが難しく、たとえば、異常紙の情報のみをディスプレイに表示しても、第２排紙先から異常紙を見つけ出すための支援（手掛かり）として不十分である。
【００４６】
そこで、本実施の形態に係る画像形成システム５は、第２排紙先に用紙を排紙する毎に、その用紙が異常紙であるか否かを示す用紙情報と、その用紙の読取画像と、その用紙の第２排紙先での積載順とを関連付けた排紙情報を記憶部４３に記憶する。すなわち、異常紙とその後続紙のそれぞれについて、用紙情報と積載順と読取画像を関連付けて記憶部４３に記憶する。
【００４７】
画像形成システム５では、ユーザが第２排紙先から異常紙を取り出す際に、異常紙のみならず、後続紙についても、読取画像を含む排紙情報が提供される。これにより、たとえば、異常紙の次の後続紙に特徴のある画像が印刷されていれば、ユーザは、該後続紙の読取画像を操作パネル３０に表示して確認してから、該特徴のある画像を手掛かりに該当の後続紙を第２排紙先に積み重なる多数の用紙の中から見つけ出すことができ、その結果、該後続紙の１枚下にある異常紙を容易に特定して取り出すことができる。
【００４８】
図４は、画像形成システム５が印刷時に行う動作の概略を示す流れ図である。最初に制御部２０は、次の用紙を給紙すべきか否かを判断する用紙起動判断処理を行う（ステップＳ１０１）。
【００４９】
図５は、用紙起動判断処理（図４のステップＳ１０１）の詳細を示している。設定枚数の給紙を完了している場合は（ステップＳ２０１;Ｙｅｓ）、「給紙なし」を返り値として（ステップＳ２０５）、本処理を終了する。
【００５０】
設定枚数の給紙が完了していなければ（ステップＳ１０１;Ｎｏ）、先行紙の中に異常紙（画像異常の検出された用紙）があるか否かを確認する（ステップＳ２０２）。先行紙の中に異常紙があれば（ステップＳ２０２;Ｙｅｓ）、「給紙なし」を返り値として（ステップＳ２０５）、本処理を終了する。
【００５１】
先行紙の中に異常紙がなければ（ステップＳ２０２;Ｎｏ）、次の用紙の給紙開始タイミングの到来を待ち（ステップＳ２０３;Ｎｏ）、次の用紙の給紙開始タイミングが到来したら（ステップＳ２０３;Ｙｅｓ）、「給紙あり」を返り値として（ステップＳ２０４）本処理を終了する。
【００５２】
図４のステップＳ１０２では、用紙起動判断処理（ステップＳ１０１）の返り値が「給紙あり」か否かを判定する（ステップＳ１０２）。返り値が「給紙あり」ならば（ステップＳ１０２;Ｙｅｓ）、新たな用紙を給紙して（ステップＳ１０３）、ステップＳ１０４へ移行する。返り値が「給紙なし」ならば（ステップＳ１０２;Ｎｏ）、新たな用紙を給紙せずにステップＳ１０４へ移行する。
【００５３】
画像形成装置本体１０の画像形成部５３は、画像形成部５３まで搬送されてきた用紙に画像形成する（ステップＳ１０３）。画像読取装置１２は画像形成装置本体１０から到来する用紙の画像を読み取り（ステップＳ１０５）、システム制御部２３の異常検出部４４はその読取画像を解析して、該読取画像に係る用紙が異常紙（画像異常があるか）か否かを判定する（ステップＳ１０６）。
【００５４】
異常紙でなければ（ステップＳ１０６;Ｎｏ）、先行紙の中に異常紙（画像異常のあった用紙）があるか否かを判断する（ステップＳ１０７）。先行紙の中に異常紙がなければ（ステップＳ１０７;Ｎｏ）、正常紙の排紙先であるメイントレイ１８（通常排紙先）に用紙を搬送する（ステップＳ１０８）。そして、この用紙の排紙により、設定枚数の排紙が完了したか否かを判断し（ステップＳ１０９）、設定枚数排紙完了ならば（ステップＳ１０９;Ｙｅｓ）本処理を終了する。設定枚数排紙完了でなければ（ステップＳ１０９;Ｎｏ）、ステップＳ１０１に戻って処理を継続する。
【００５５】
異常検出部４４で読取画像を解析した結果、該読取画像に係る用紙が画像異常のある異常紙であった場合（ステップＳ１０６;Ｙｅｓ）、もしくは、この用紙は異常紙でないが（ステップＳ１０６;Ｎｏ）先行紙の中に異常紙が有る場合は（ステップＳ１０７;Ｙｅｓ）、通常排紙先とは異なる第２排紙先（第１サブトレイ１６もしくは第２サブトレイ１７）に用紙を搬送する（ステップＳ１１０、排紙先切替制御）。そして、この第２排紙先に排紙した用紙の用紙情報と排紙先における積載順と該用紙の読取画像とを関連付けた排紙情報を記憶部４３に記憶する（ステップＳ１１１、記憶制御）。
【００５６】
この用紙の後ろに後続紙がなければ（ステップＳ１１２;Ｎｏ）、本処理を終了し、後続紙があれば（ステップＳ１１２;Ｙｅｓ）、ステップＳ１０５に戻って処理を継続する。
【００５７】
以上の処理により、異常紙より前の用紙（正常紙）については通常排紙先に排紙される。また、異常紙とその後続紙については、第２排紙先に排紙されると共にその用紙の用紙情報と第２排紙先での積載順と読取画像とを関連付けた排紙情報が記憶部４３に記憶される。ここでは、第２排紙先に排出される後続紙については、画像形成部５３で画像が形成されていなくても、全て、読取部６１で読み取って排紙情報を記憶する。なお、後続紙については、全てではなく、異常紙に続く所定枚数についてのみ排紙情報を記憶部４３に記憶するようにしても良い。
【００５８】
図６は、第２排紙先に排紙された各用紙についての排紙情報が登録される排紙情報テーブル８０の一例を示している。排紙情報テーブル８０には、第２排紙先に排紙されたそれぞれの用紙の排紙情報として、その用紙の排紙先（ここでは、第１サブトレイ１６または第２サブトレイ１７）、その排紙先における積載順、その用紙の用紙情報およびその用紙の読取画像が関連付けて記憶される。
【００５９】
詳細には、用紙情報として、その用紙が異常紙であるか否かを示す情報（たとえば、異常紙／後続紙／調整紙（テストチャート）のいずれかであるかを示す情報）、排出日時、ジョブ名、ジョブ内のページ番号、異常の原因、給紙トレイ番号などを記憶する。なお、排紙情報テーブル８０に読取画像の実体を登録してもよいが、ここでは、排紙情報テーブル８０とは別の場所に読取画像の実体を保存し、排紙情報テーブル８０には読取画像の保存場所（アドレス、パス名やファイル名など）を登録する。
【００６０】
図７は、第２排紙トレイに排紙された用紙の排紙情報を表示する処理を示す流れ図である。画像形成システム５は、操作パネル３０等を通じてユーザから排紙情報の表示指示を受けた場合（ステップＳ３０１;Ｙｅｓ）、もしくは、第２排紙先が満杯になったことが満杯検出部７３によって検出された場合（ステップＳ３０２;Ｙｅｓ）に、第２排紙トレイに排紙した用紙に関する情報を表示する表示制御を行う（ステップＳ３０３）。
【００６１】
以下、排紙情報を表示する確認画面の各種態様を例示する。
【００６２】
＜リスト表示方式＞
図８は、第２排紙先に排紙された用紙の排紙情報をリスト形式（一覧）で表示した排紙情報一覧９０の一例を示している。排紙情報一覧９０は確認画面の一部に表示される。排紙情報一覧９０の横一行には１枚の用紙の排紙情報が列挙される。排紙情報一覧９０には、それぞれの用紙について、異常紙であるか／後続紙であるかを示す情報、排紙先の排紙トレイ名（この例では、第１サブトレイ１６）、排紙先における積載順、排紙日時、ジョブ名、該ジョブ内での頁番号、異常原因、読取画像の表示を指示するためのアイコンが表示される。アイコンを指等で押下すると、その用紙の読み取り画像がポップアップ画面等に表示される。
【００６３】
ユーザは、排紙情報一覧９０に表示された情報から異常紙の積載順を把握し得ると共に、該当のアイコンを押下することで、異常紙の読取画像や異常紙の次に積載されている後続紙の読取画像等を容易に比較して確認することができる。
【００６４】
＜ページめくり方式＞
第２排紙先に排紙された用紙の排紙情報が用紙一枚単位に表示される。図９は、排紙情報をページめくり方式で表示する確認画面（ページ毎画面９２）の一例を示している。画面中央にはそのページの読取画像が表示され、読取画像の下方には、そのページの読取画像以外の排紙情報が列挙表示される。読取画像の左にある前頁釦９３を押下すると、表示対象が、積載順が１つ前の用紙に切り替わり、読取画像の右にある次頁釦９４を押下すると、表示対象が、積載順が次の用紙に切り替わる。
【００６５】
図９は、表示対象の用紙が異常紙の場合であり、異常箇所はハッチング等を施して強調表示される。これにより、ユーザは用紙の中のどの箇所で異常が発生しているかを容易に把握することができる。また、ユーザは、前頁釦９３や次頁釦９４を操作することで、異常紙とその前後の後続紙との重なり関係を把握することができ、第２排紙先に積載された用紙の中から目的の異常紙を容易に見つけ出すことができる。たとえば、図９の状態で次頁釦９４を押下すると、ページ毎画面９２の表示内容が図１０に示すものに切り替わる。図１０は、異常紙の次に第２排紙先へ排紙された後続紙（正常紙）の排紙情報を表示している。
【００６６】
＜サムネイル方式＞
図１１は、第２排紙先に排紙された複数枚の用紙の縮小した読取画像（サムネイル画像）を積載順に並べて表示するサムネイル方式の確認画面（サムネイル画面１００）の一例を示している。異常紙のサムネイル画像は、太枠の付加やハッチングなどで強調表示される（図ではグレーかつ太枠を施してある）。ユーザは列挙されたサムネイル画像の中の任意の１つを押下することで、そのサムネイル画像に対応する用紙を選択することができ、サムネイル画面１００の下部には、選択された１つのサムネイル画像に対応する用紙の読取画像以外の排紙情報が表示される。図１１では、選択中のサムネイル画像には、その外周を囲む破線が表示される。
【００６７】
ユーザは、サムネイル画面１００の積載順に配列されたサムネイル画像を見ることで、異常紙とその前後の後続紙との重なり関係を把握することができ、第２排紙先に積載された用紙の中から目的の異常紙を容易に見つけ出すことができる。
【００６８】
また、サムネイル画面１００において、任意の１つのサムネイル画像に対して長押し等の操作を行うことで、そのサムネイル画像に対応する用紙の読取画像を、図１２に示すように、大きく表示することができる。
【００６９】
＜ジョブ単位でのサムネイル方式＞
図１３は、第２排紙先に排紙された複数枚の用紙のサムネイル画像をジョブ単位に積載順に並べて表示する確認画面（ジョブ単位サムネイル画面１０３）の一例を示している。ジョブ単位サムネイル画面１０３は、第２排紙先に複数ジョブ分の異常紙および後続紙が排紙されている場合に、その中の任意の１つのジョブに係る異常紙および後続紙のサムネイル画像のみを列挙して表示する。画面の下部にある前ジョブ釦１０４を押下すると、表示対象のジョブが、積載順で１つ前のジョブに切り替わり、次ジョブ釦１０５を押下すると、表示対象のジョブが、積載順で次のジョブに切り替わる。
【００７０】
図１１と同様に、図１３のジョブ単位サムネイル画面１０３では、異常紙のサムネイル画像は、太枠の付加やハッチングなどで強調表示される。ユーザは列挙されたサムネイル画像の中の任意の１つを押下することで、そのサムネイル画像に対応する用紙を選択することができ、選択された１つのサムネイル画像に対応する用紙の読取画像以外の排紙情報がジョブ単位サムネイル画面１０３に表示される。選択中のサムネイル画像にはその外周を囲む破線が表示される。
【００７１】
第２排紙先に複数のジョブに係る用紙が排紙されている場合に、確認画面において排紙情報をジョブ単位に表示するか否かは、ユーザからの選択操作に従って切り替える。
【００７２】
・調整用チャートの排紙について
これまでは、第２排紙先に排紙される用紙を異常紙とその後続紙であるとして説明したが、調整用チャートなどを含めても良い。すなわち、第２排紙先には、異常紙、後続紙のほかに調整モードで出力したテストチャート（調整用チャート）も排出される。画像形成システム５は、第２排紙先に排紙される調整用チャートについても画像読取装置１２で画像を読み取って排紙情報を作成し記憶部４３に記憶する。すなわち、調整用チャートを第２排紙先に排紙したとき、その排紙した用紙が調整用チャートであることを示す情報と第２排紙先での積載順とこの用紙の読取画像とを関連付けた排紙情報を記憶部４３に記憶する。
【００７３】
画像形成システム５は、第２排紙先に排紙された用紙の排紙情報を一覧、ページめくり、サムネイルの各方式の確認画面に表示する際に、調整用チャートも含めて、積載順に表示する。これにより、ユーザは、異常紙とその前後の後続紙や調整用チャートとの重なり関係を把握することができ、第２排紙先に積載された用紙の中から目的の異常紙を容易に見つけ出すことができる。図１４は、ページめくり方式で排紙情報を表示するページ毎画面９２において、調整用チャートの排紙情報が表示された状態を例示している。
【００７４】
画像形成システム５は、第２排紙先となり得る排紙トレイが複数ある場合、確認画面に、排紙トレイ別に排紙情報を表示することができる。図１に示す画像形成システム５の場合、第１サブトレイ１６、第２サブトレイ１７が第２排紙先になり得る排紙トレイである。画像形成システム５は、排紙先切替制御において第２排紙先を複数の排紙トレイに切り替えた場合は、その切り替えた排紙トレイ毎に、排紙情報の表示を行う。
【００７５】
図１５は、排紙情報の表示対象となる排紙トレイの選択操作をユーザから受ける確認排紙トレイ選択画面１１０の一例を示している。確認排紙トレイ選択画面１１０は、排紙動作中に第２排紙先を複数の排紙トレイに切り替えた場合に表示される。
【００７６】
たとえば、確認排紙トレイ選択画面１１０内のサブトレイ選択釦１１２でサブトレイ１が選択されると、画像形成システム５は、記憶部４３に記憶されている排紙情報のうち第１サブトレイ１６に排紙された用紙の排紙情報のみを抽出して、排紙情報一覧９０やページ毎画面９２、サムネイル画面１００等の確認画面に表示する。
【００７７】
次に、両面印刷時の確認画面について説明する。  
両面印刷時には用紙のうら面に画像異常が発生している場合がある。この場合、ユーザは、画像異常のあるうら面の読取画像を確認画面で確認することを望む。一方、後続紙については、異常紙との重なり関係が分かればよいので、うら面を確認する必要はない。そこで、うら面に画像異常のある異常紙については、おもて面とうら面の読取画像を確認画面に表示し、その他の用紙（おもて面のみに異常のある異常紙および後続紙）については、おもて面の読取画像のみを確認画面に表示する。図１６は、両面印刷時のサムネイル画面１００の一例を示している。
【００７８】
図１７は、両面印刷時のページ毎画面９２であって、おもて面正常・うら面異常の異常紙の排紙情報を表示した場合の一例を示している。この場合、おもて面とうら面の双方の読取画像がページ毎画面９２に表示される。図１８は、両面印刷時のページ毎画面９２であって、後続紙の排紙情報を表示した場合の一例を示している。この場合、読取画像はおもて面のみ表示される。
【００７９】
図１９は、記憶部４３に記憶されている排紙情報を削除する処理を示す流れ図である。画像形成システム５の制御部２０は、第２排紙先である排紙トレイから、積載されている用紙が取り除かれたか否かを検出する取り出し検出部７２の検出値を監視し（ステップＳ４０１;Ｎｏ）、用紙の取り出しが検出されたら（ステップＳ４０１;Ｙｅｓ）、予め定めた加重要件である第２条件の成立を待つ（ステップＳ４０２;Ｎｏ）。
【００８０】
第２条件は、ユーザから排紙情報を削除する旨の指示・操作を受けたこと、もしくは、用紙の取り出しが検出された第２排紙先に画像形成システム５が新たな用紙を排紙したこと、もしくは、用紙の取り出しが検出された後に新たな印刷を開始したことなどで成立する。
【００８１】
第２条件が成立したら（ステップＳ４０２;Ｙｅｓ）、用紙の取り出しが検出された排紙先に係る排紙情報を記憶部４３から削除する（ステップＳ４０３）。
【００８２】
通常、ユーザは、第２排紙先に積載されている全ての用紙を第２排紙先から取り出し手元に置いてから、確認画面に表示された読取画像やサムネイル画像と各用紙の印刷内容とを比較して異常紙を特定する、といった作業を行う。そのため、第２排紙先から用紙が取り出されたことのみを条件に排紙情報を削除すると、ユーザが読取画像と印刷物とを比較対比する前に排紙情報が消えてしまい、ユーザが必要とする確認画面を表示できなくなる。そこで、前述した第２条件の成立を待って排紙情報を削除する。
【００８３】
上記を第２条件とするのは以下の理由による。ユーザが削除指示を行うのは異常紙の取り出し確認作業を終えてからであると考えられる。また、ユーザは異常紙の取り出し確認作業を終えてから次の印刷を再開すると考えられるので、次の印刷が再開されたとき、あるいはその再開した印刷で新たに異常紙が検出されて第２排紙先に排紙されたことを条件に以前の排紙情報を削除する。
【００８４】
なお、画像形成システム５は、記憶部４３に記憶した排紙情報を、通信部４２により、ネットワーク２を通じて外部端末３へ送信することも可能になっている。外部端末３は、画像形成システム５から受信した排紙情報に基づいて、リスト形式、ページめくり方式、サムネイル方式等による確認画面を表示する。
【００８５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８６】
実施の形態では、排紙情報として記憶部４３に記憶する情報には、少なくとも、異常紙か否かを示す情報、第２排紙先での積載順、読取画像が含まれればよく、ジョブ名等の情報は任意であり、適宜に増減させてよい。
【００８７】
排紙情報の表示態様は、実施の形態で例示した各種確認画面に限定されるものではない。また、第２排紙先に排紙される用紙は異常紙、後続紙、調整用チャートに限定されるものではない。
【符号の説明】
【００８８】
２…ネットワーク
３…外部端末
５…画像形成システム
１０…画像形成装置本体
１１…給紙装置
１２…画像読取装置
１３…第１用紙仕分け装置
１４…第２用紙仕分け装置
１６…第１サブトレイ
１７…第２サブトレイ
１８…メイントレイ
２０…制御部
２１…操作パネル制御部
２３…システム制御部
２５…エンジン制御部
２７…画像読み取り制御部
２９…フィニッシャ制御部
３０…操作パネル
３１…表示部
３２…操作部
４１…画像処理部
４２…通信部
４３…記憶部
４４…異常検出部
５１…給紙部
５２…搬送部
５３…画像形成部
６１…読取部
７２…取り出し検出部
７３…満杯検出部
８０…排紙情報テーブル
９０…排紙情報一覧
９２…ページ毎画面
９３…前頁釦
９４…次頁釦
１００…サムネイル画面
１０３…ジョブ単位サムネイル画面
１０４…前ジョブ釦
１０５…次ジョブ釦
１１０…確認排紙トレイ選択画面
１１２…サブトレイ選択釦
【図１】
2020155814.tif 000003
【図２】
2020155814.tif 000004
【図３】
2020155814.tif 000005
【図４】
2020155814.tif 000006
【図５】
2020155814.tif 000007
【図６】
2020155814.tif 000008
【図７】
2020155814.tif 000009
【図８】
2020155814.tif 000010
【図９】
2020155814.tif 000011
【図１０】
2020155814.tif 000012
【図１１】
2020155814.tif 000013
【図１２】
2020155814.tif 000014
【図１３】
2020155814.tif 000015
【図１４】
2020155814.tif 000016
【図１５】
2020155814.tif 000017
【図１６】
2020155814.tif 000018
【図１７】
2020155814.tif 000019
【図１８】
2020155814.tif 000020
【図１９】
2020155814.tif 000021